(57)【要約】      （修正有）【課題】前蓋と後蓋とを上下に重ねてコンパクトに収納でき、鍵盤蓋を閉じたときに段差が生ずることがなく、良好に鍵盤部を覆うことができる鍵盤蓋の開閉装置を提供する。【解決手段】楽器ケース１内の鍵盤部２を前蓋１２と後蓋１３とに分割された鍵盤蓋３で開閉可能に覆う鍵盤蓋３の開閉装置１６において、前蓋１２と後蓋１３とを回転可能に連結する連結部材１４と、楽器ケース１の側板７に設けられて連結部材１４をガイドする第１連結ガイド部１７と、後蓋１３の側面に設けられて連結部材１４を移動可能にガイドする第２連結ガイド部と、楽器ケース１の側板７に設けられ、連結部材１４を上下方向に回転させる傾斜部を有する自由ガイド領域部１９とを備えた。従って、前蓋１２と後蓋１３とを上下に重ねてコンパクトに収納でき、また鍵盤蓋３を閉じたときに段差が生ずることがなく、平坦に連続した状態で良好に鍵盤部２を覆うことができる。【選択図】図１
2008152160.tif 000002
【特許請求の範囲】
【請求項１】
楽器ケース内の前部側に設けられた鍵盤部を、前蓋と後蓋とに分割された鍵盤蓋で、開閉可能に覆う鍵盤蓋の開閉装置において、
前記前蓋の後部に回転可能に取り付けられて前記前蓋と前記後蓋とを連結する２軸ヒンジの連結部材と、
前記楽器ケース内の側面に設けられて前記連結部材の前記前蓋側の軸部を前記鍵盤部のほぼ中間部に対応する箇所から前記鍵盤部の後方にガイドする溝状の第１連結ガイド部と、
前記後蓋の側面に設けられて前記連結部材の前記後蓋側の軸部を前記後蓋の前部から後部に移動可能にガイドする溝状の第２連結ガイド部と、
前記楽器ケース内の側面に設けられ、前記後蓋の前部が前記鍵盤部の後部付近に対応する箇所に移動したときに前記連結部材を上下方向に回転させる傾斜部を有し、前記連結部材を回転可能な状態でガイドする溝状の自由ガイド領域部と、
前記後蓋の後部に設けられて前記自由ガイド領域部の底部にガイドされて移動する後部支持軸とを備えていることを特徴とする鍵盤蓋の開閉装置。
【請求項２】
前記連結部材は、一端部が前記前蓋の後部に回転可能に取り付けられて他端部が前記楽器ケースの前記第１連結ガイド部にガイドされて移動する第１支持軸と、一端部が前記後蓋の前記第２連結ガイド部にガイドされて相対的に移動すると共に他端部が前記自由ガイド領域部の前記傾斜部に到達したときにその傾斜部に沿って上下方向に移動する第２支持軸と、前記鍵盤蓋を閉じるときに前記自由ガイド領域部の前記傾斜部によって前記前蓋の後端面と前記後蓋の前端面とを互いに対面させる位置に回転移動させ、且つ前記鍵盤蓋を開くときに前記自由ガイド領域部の前記傾斜部によって前記前蓋の後端面と前記後蓋の前端面とを上下方向に離間させて前記前蓋と前記後蓋とが重なる位置に回転移動させるように前記第１、第２支持軸を連結する連結部とを備えていることを特徴とする請求項１に記載の鍵盤蓋の開閉装置。
【請求項３】
前記連結部材の前記第２支持軸は、前記自由ガイド領域部側に位置する前記他端部が前記連結部よりも前記自由ガイド領域部側に向けて突出して形成されており、前記自由ガイド領域部は、その幅が前記第１、第２支持軸間のピッチとほぼ同じかそれよりも少し狭い幅で形成されていると共に、その深さが前記第２支持軸の前記連結部よりも突出した長さだけ深く形成されていることを特徴とする請求項２に記載の鍵盤蓋の開閉装置。
【請求項４】
前記前蓋の前部には前側回転部材が設けられており、前記楽器ケース内の側面には、前記前蓋の前記前側回転部材を前記鍵盤部の前部に対応する箇所から前記鍵盤部の後部付近に対応する箇所にガイドする前側ガイド部が設けられていることを特徴とする請求項１〜３のいずれかに記載の鍵盤蓋の開閉装置。
【請求項５】
前記後蓋の後部には後側回転部材が設けられており、前記楽器ケース内の側面には、前記後側回転部材を前記鍵盤部の後部付近に対応する箇所から前記鍵盤部の後方にガイドする後側ガイド部が前記自由ガイド領域部に沿って設けられていることを特徴とする請求項１〜４のいずれかに記載の鍵盤蓋の開閉装置。
【発明の詳細な説明】
【技術分野】
【０００１】
この発明は、ピアノなどの鍵盤楽器に用いられる鍵盤蓋の開閉装置に関する。
【背景技術】
【０００２】
従来、ピアノなどの鍵盤楽器においては、楽器ケースのコンパクト化を図るために、特許文献１に記載されているように、楽器ケースの前部側に設けられた鍵盤部を開閉自在に覆う鍵盤蓋を前蓋と後蓋とに分割し、この鍵盤蓋を閉じるときに前蓋と後蓋とが前後にずれて鍵盤部を覆い、鍵盤蓋を開くときに前蓋と後蓋とが上下に重なって楽器ケース内に収納されるように構成したものがある。
【特許文献１】特開平０８−２６３０５１号
【０００３】
すなわち、この鍵盤楽器における鍵盤蓋の開閉装置は、前蓋の後端部に回転軸を取り付け、この回転軸の両端部を、後蓋の両側に設けられて上方に突出したガイド部材のガイド孔内に移動自在に挿入して側方に突出させると共に、この突出した回転軸の両端部にピニオンギアを設け、このピニオンギアを楽器ケース内の両側面に設けられたラックギアに噛み合わせて転動させるように構成されている。
【発明の開示】
【発明が解決しようとする課題】
【０００４】
しかしながら、このような従来の鍵盤蓋の開閉装置では、前蓋の後端部に設けられた回転軸が常に後蓋の上側に配置されているため、前蓋の後部と後蓋の前部とが常に上下に重なり合うことになる。このため、鍵盤蓋を開いて楽器ケース内に収納したときには、前蓋と後蓋とを重ね合わせることができても、鍵盤蓋を閉じて鍵盤部を覆った状態のときには、前蓋と後蓋とが前後にずれるが、前蓋の後端部と後蓋の前端部とが上下に重なるため、鍵盤蓋に段差ができてしまう。このため、前蓋の後部と後蓋の前部とが平坦に連続する状態にならず、外観上、好ましくないという問題がある。
【０００５】
この発明が解決しようとする課題は、前蓋と後蓋とを上下に重ねてコンパクトに収納できると共に、鍵盤蓋を閉じたときに段差が生ずることなく、前蓋と後蓋とを前後にずらして良好に鍵盤部を覆うことができる鍵盤蓋の開閉装置を提供することである。
【課題を解決するための手段】
【０００６】
この発明は、上記課題を解決するために、次のような構成要素を備えている。
請求項１に記載の発明は、楽器ケース内の前部側に設けられた鍵盤部を、前蓋と後蓋とに分割された鍵盤蓋で、開閉可能に覆う鍵盤蓋の開閉装置において、
前記前蓋の後部に回転可能に取り付けられて前記前蓋と前記後蓋とを連結する２軸ヒンジの連結部材と、
前記楽器ケース内の側面に設けられて前記連結部材の前記前蓋側の軸部を前記鍵盤部のほぼ中間部に対応する箇所から前記鍵盤部の後方にガイドする溝状の第１連結ガイド部と、
前記後蓋の側面に設けられて前記連結部材の前記後蓋側の軸部を前記後蓋の前部から後部に移動可能にガイドする溝状の第２連結ガイド部と、
前記楽器ケース内の側面に設けられ、前記後蓋の前部が前記鍵盤部の後部付近に対応する箇所に移動したときに前記連結部材を上下方向に回転させる傾斜部を有し、前記連結部材を回転可能な状態でガイドする溝状の自由ガイド領域部と、
前記後蓋の後部に設けられて前記自由ガイド領域部の底部にガイドされて移動する後部支持軸とを備えていることを特徴とする鍵盤蓋の開閉装置である。
【０００７】
請求項２に記載の発明は、前記連結部材は、一端部が前記前蓋の後部に回転可能に取り付けられて他端部が前記楽器ケースの前記第１連結ガイド部にガイドされて移動する第１支持軸と、一端部が前記後蓋の前記第２連結ガイド部にガイドされて相対的に移動すると共に他端部が前記自由ガイド領域部の前記傾斜部に到達したときにその傾斜部に沿って上下方向に移動する第２支持軸と、前記鍵盤蓋を閉じるときに前記自由ガイド領域部の前記傾斜部によって前記前蓋の後端面と前記後蓋の前端面とを互いに対面させる位置に回転移動させ、且つ前記鍵盤蓋を開くときに前記自由ガイド領域部の前記傾斜部によって前記前蓋の後端面と前記後蓋の前端面とを上下方向に離間させて前記前蓋と前記後蓋とが重なる位置に回転移動させるように前記第１、第２支持軸を連結する連結部とを備えていることを特徴とする請求項１に記載の鍵盤蓋の開閉装置である。
【０００８】
請求項３に記載の発明は、前記連結部材の前記第２支持軸は、前記自由ガイド領域部側に位置する前記他端部が前記連結部よりも前記自由ガイド領域部側に向けて突出して形成されており、前記自由ガイド領域部は、その幅が前記第１、第２支持軸間のピッチとほぼ同じかそれよりも少し狭い幅で形成されていると共に、その深さが前記第２支持軸の前記連結部よりも突出した長さだけ深く形成されていることを特徴とする請求項２に記載の鍵盤蓋の開閉装置である。
【０００９】
請求項４に記載の発明は、前記前蓋の前部に前側回転部材が設けられており、前記楽器ケース内の側面には、前記前蓋の前記前側回転部材を前記鍵盤部の前部に対応する箇所から前記鍵盤部の後部付近に対応する箇所にガイドする前側ガイド部が設けられていることを特徴とする請求項１〜３のいずれかに記載の鍵盤蓋の開閉装置である。
【００１０】
請求項５に記載の発明は、前記後蓋の後部に後側回転部材が設けられており、前記楽器ケース内の側面には、前記後側回転部材を前記鍵盤部の後部付近に対応する箇所から前記鍵盤部の後方にガイドする後側ガイド部が前記自由ガイド領域部に沿って設けられていることを特徴とする請求項１〜４のいずれかに記載の鍵盤蓋の開閉装置である。
【発明の効果】
【００１１】
この発明によれば、鍵盤蓋を収納するときに、前蓋を後方に移動させるだけで、前蓋と後蓋とを連結する連結部材が第１、第２連結ガイド部および自由ガイド領域部によってガイドされて移動することにより、鍵盤部の上側に前後に並んで配置されていた前蓋と後蓋とを自由ガイド領域部の傾斜部で上下にずらして鍵盤部の後方に位置する楽器ケース内に重ね合わせて収納することができる。また、この鍵盤蓋を閉じるときには、前蓋を前方に移動させるだけで、前蓋と後蓋とを連結する連結部材が第１、第２連結ガイド部および自由ガイド領域部によってガイドされて移動することにより、上下に重なり合った前蓋と後蓋とを前後にずらして鍵盤部の上方に配置させることができる。
【００１２】
このため、前蓋を後方に移動させて鍵盤蓋を収納したときには、前蓋と後蓋とを上下に重ね合わせてコンパクトに収納することができ、これにより楽器ケースの奥行サイズを小さく抑えることができる。また、前蓋を前方に移動させて鍵盤蓋を閉じるときには、上下に重なり合った前蓋と後蓋とが前後にずれると共に、連結部材が自由ガイド領域部の傾斜部によって上下方向に回転することにより、前蓋の後部と後蓋の前部とを対面させることができるので、前蓋と後蓋とをほぼ平坦状に連続させることができる。このため、鍵盤蓋を閉じたときに前蓋と後蓋とに段差が生ずることがなく、前後にずれた前蓋と後蓋とで鍵盤部を良好に覆うことができ、これにより外観的に好ましいものを提供することができる。
【発明を実施するための最良の形態】
【００１３】
（実施形態１）
以下、図１〜図１１を参照して、この発明を適用した鍵盤楽器の実施形態１について説明する。
図１はこの発明の鍵盤楽器において鍵盤蓋を閉じた状態を示した断面図、図２はその鍵盤楽器において鍵盤蓋を開いて収納した状態を示した断面図である。
この鍵盤楽器は、図１および図２に示すように、楽器ケース１を備え、この楽器ケース１内の前部側（図１では左側）に鍵盤部２が配置され、この鍵盤部２の上側に鍵盤蓋３が開閉自在に設けられた構成になっている。
【００１４】
楽器ケース１は、図１および図２に示すように、底板４を備えている。この底板４の前端部（図１では左端部）には、前板５が起立して設けられており、この底板４の後端部（図１では右端部）には、後板６が起立して設けられている。また、底板４の両側部（図１では紙面の表裏面方向）には、一対の側板７が起立して設けられており、この一対の側板７の上部における後部間、つまり鍵盤部２の後方に位置する箇所の側板７間には、天板８が後板６の上端部に載置された状態でほぼ水平に設けられている。これにより、楽器ケース１は、前板５と天板８との間が上方に開放され、この開放された部分から鍵盤部２が上方に露出するように構成されている。
【００１５】
鍵盤部２は、図１および図２に示すように、白鍵および黒鍵からなる複数の鍵１０を鍵盤シャーシ１１上に配列したものであり、楽器ケース１の底板４上に鍵盤シャーシ１１が配置され、この状態で鍵盤シャーシ１１上の複数の鍵１０が楽器ケース１の前板５と天板８との間に位置して上方に露出するように構成されている。この場合、鍵盤部２は、その後部が天板８の前端部よりも少し後側に位置し、これにより天板８の真上から鍵盤部２の後部が見えないように配置されている。また、この鍵盤２の後部と楽器ケース１の後板６との間には、電源部（図示せず）などの電子部品を収納する部品収納領域９が設けられている。
【００１６】
鍵盤蓋３は、図１および図２に示すように、前蓋１２と後蓋１３とに分割され、この前蓋１２と後蓋１３とが連結部材１４によって連結され、この状態で前蓋１２と後蓋１３とが楽器ケース１の前後方向（図１では左右方向）にスライドして鍵盤部２を開閉自在に覆うように構成されている。この場合、前蓋１２の前端部にはカバー部材１５が設けられており、このカバー部材１５には取手部１５ａが設けられている。また、この鍵盤蓋３は、閉じたときに、カバー部材１５の先端部が、楽器ケース１の前板５の上端部に設けられたストッパ部１５ｂに当接するように構成されている。
【００１７】
この鍵盤蓋３の開閉装置１６は、図１〜図７に示すように、前蓋１２と後蓋１３とを連結する２軸ヒンジの連結部材１４と、楽器ケース１の側板７に設けられて連結部材１４をガイドする第１連結ガイド部１７と、後蓋１３の側面に設けられて連結部材１４を移動可能にガイドする第２連結ガイド部１８と、楽器ケース１の側板７に設けられて連結部材１４を回転可能な状態でガイドする自由ガイド領域部１９と、後蓋１３の後部に設けられて自由ガイド領域部１９の底部２１に沿ってガイドされる後部支持軸２０とを備えている。この場合、開閉装置１６は、鍵盤蓋３の両側および楽器ケース１の両側に位置する一対の側板７にそれぞれ設けられているが、図１〜図１１では、それらの片側のみを示す。
【００１８】
連結部材１４は、図３および図５に示すように、第１支持軸２２と、第２支持軸２３と、この第１、第２支持軸を連結する連結部２４とを備えている。第１支持軸２２は、その一端部が前蓋１２の後部における側面に第１補強部材２５によって回転自在に取り付けられ、他端部が楽器ケース１の側板７に設けられた第１連結ガイド部１７にガイドされて移動するように構成されている。第２支持軸２３は、その一端部が後蓋１３の第２連結ガイド部１８にガイドされて移動すると共に、他端部が後述する自由ガイド領域部１９の傾斜部２１ａに位置したときにその傾斜部２１ａに沿って上下方向に移動するように構成されている。
【００１９】
連結部２４は、図３および図５に示すように、前蓋１２の後部における側面と後蓋１３の前部における側面とに接近した位置において、第２支持軸２３の端部、つまり第２連結ガイド部１８にガイドされる一端部と反対側の他端部に設けられて、第１支持軸２２のほぼ中間部に取り付けられ、これにより第１支持軸２２と第２支持軸２３とを所定間隔離した状態で連結するように構成されている。
【００２０】
すなわち、この連結部２４は、鍵盤蓋３を閉じるときに後述する自由ガイド領域部１９の傾斜部２１ａによって前蓋１２の後端面１２ａと後蓋１３の前端面１３ａとを互いに対面させる位置に回転移動させ、且つ鍵盤蓋３を開いて収納するときに後述する自由ガイド領域部１９の傾斜部２１ａによって前蓋１２の後端面１２ａと後蓋１３の前端面１３ａとを上下方向に離間させることにより、前蓋１２と後蓋１３とが重なる位置に回転移動させて、後蓋１３を前蓋１２の下側に吊り下げるように構成されている。
【００２１】
第１連結ガイド部１７は、前蓋１２の後部に回転可能に取り付けられた連結部材１４の第１支持軸２２が挿入して移動する凹部状の溝であり、図２および図４に示すように、楽器ケース１の側板７における鍵盤部２のほぼ中間部に対応する箇所から鍵盤部２の後方、つまり楽器ケース１内の後部に亘って設けられている。この場合、第１連結ガイド部１７は、その前側部分が鍵盤部２のほぼ中間部に対応する箇所から鍵盤部２の後部付近つまり天板８の前端部に対応する箇所に亘って緩やかに後部上がりに傾斜し、中間部分が鍵盤部２の後部付近から少し急な角度で後部上りに傾斜し、後側部分が鍵盤部２の後部に対応する箇所から楽器ケース１内の後部に亘って天板８と平行するほぼ水平な状態で設けられている。
【００２２】
第２連結ガイド部１８は、図３、図５および図６に示すように、連結部材１４の第２支持軸２３が挿入して移動する凹部状の溝であり、後蓋１３の側面にその前部から後部に亘って設けられている。この場合、第２連結ガイド部１８は、図６および図７に示すように、後蓋１３の側部に取り付けられた第２補強部材２６によって形成されている。また、この第２連結ガイド部１８は、後蓋１３の前側および後側に開放されておらず、その前端部および後端部が塞がれ、これにより連結部材１４の第２支持軸２３が後蓋１３の前後方向に離脱しないように構成されている。
【００２３】
自由ガイド領域部１９は、図３および図４に示すように、連結部材１４の連結部２４が第１支持軸２２を中心に回転可能な状態で移動する凹部状の溝であり、第１連結ガイド部１７の下側にこれに連続した状態で、鍵盤部２の後部付近に対応する箇所、つまり第１連結ガイド部１７の中間部分に位置する箇所から楽器ケース１の後部に亘ってほぼ水平に設けられている。この場合、自由ガイド領域部１９の深さは、図５に示すように、連結部材１４の連結部２４が挿入する深さであり、第１連結ガイド部１７よりも浅く形成されている。
【００２４】
また、この自由ガイド領域部１９の上下方向の幅は、図４に示すように、連結部材１４の第１支持軸２２を除く幅、つまり第２支持軸２３と連結部２４とが挿入する広い幅で形成されている。さらに、この自由ガイド領域部１９の前部は、図４に示すように、前側に向かうに従って次第に狭くなる楔形状に形成されている。すなわち、この自由ガイド領域部１９の前部における上辺部は、第１連結ガイド部１７の中間部分と同じ傾斜で形成されており、またこの自由ガイド領域部１９の前部における底部２１は、後部側に向かうに従って次第に低くなる傾斜部２１ａに形成されている。
【００２５】
これにより、自由ガイド領域部１９の前部は、鍵盤蓋３を開いて収納するときに連結部材１４が自由ガイド領域部１９の前部に到達すると、後蓋１３の重量によって連結部材１４の第２支持軸２３の他端部、つまり第２連結ガイド部１８に挿入する一端部と反対側に位置する第２支持軸２３の他端部を傾斜部２１ａに沿って下側に移動させることにより、前蓋１２の後端面１２ａと後蓋１３の前端面１３ａとを上下方向に離間させるように、連結部材１４の第１支持軸２２を中心に連結部材１４を回転させて、第２支持軸２３および連結部２４を自由ガイド領域部１９内に導くように構成されている。
【００２６】
また、この自由ガイド領域部１９の前部は、鍵盤蓋３を閉じるときに連結部材１４が自由ガイド領域部１９の前部に到達すると、後蓋１３の重量に抗して連結部材１４の第２支持軸２３の他端部を傾斜部２１ａに沿って上側に移動させて第２支持軸２３を押し上げることにより、前蓋１２の後端面１２ａと後蓋１３の前端面１３ａとを互いに対面させるように、連結部材１４の第１支持軸２２を中心に連結部材１４を回転させて、第２支持軸２３および連結部２４を第１連結ガイド部１７の位置に押し上げるように構成されている。さらに、この自由ガイド領域部１９は、図３および図４に示すように、その底部２１が後蓋１３の側面における後部に設けられた後部支持軸２０をガイドするように構成されている。
【００２７】
一方、前蓋１２の前部における側面には、図１および図２に示すように、ガイドローラ２７が設けられている。このガイドローラ２７は、楽器ケース１の側板７に設けられたローラガイド部２８によってガイドされるように構成されている。このローラガイド部２８は、ガイドローラ２７が転動しながら移動する凹部状のレールであり、楽器ケース１の側板７における鍵盤部２の前部に対応する箇所から鍵盤部２の後部付近に対応する箇所に亘って設けられている。この場合、ローラガイド部２８は、その後部が段差２８ａをもって少し低く形成され、ガイドローラ２７がローラガイド部２８の後端部に位置したときに、ガイドローラ２７が勝手に前側に移動するのを阻止するように構成されている。
【００２８】
また、後蓋１３の後部における下部には、図１および図２に示すように、回転軸３０が取付部材３１によって取り付けられており、この回転軸３０の両端部には、ピニオンギア３２が取り付けられている。このピニオンギア３２は、楽器ケース１の側板７に設けられたラックギア３３に噛み合って転動するように構成されている。すなわち、ラックギア３３は、楽器ケース１の側板７における自由ガイド領域部１９の下側に位置した状態で、鍵盤部２の後部付近に対応する箇所から鍵盤部２の後方に亘って自由ガイド領域部１９の底部２１とほぼ平行に設けられている。この場合、ラックギア３３の前部は、図１および図２に示すように、少し前上がりに傾斜して形成され、これにより鍵盤蓋３を閉じたときに、後蓋１３の後部を第１連結ガイド部１７の位置まで押し上げるように構成されている。
【００２９】
また、後蓋１３の回転軸３０は、図３および図５に示すように、その端部が楽器ケース１の側板７に設けられた軸ガイド部３４によってガイドされるように構成されている。この軸ガイド部３４は、図４に示すように、回転軸３０の端部が挿入して移動する凹部状の溝であり、ラックギア３３と同様、鍵盤部２の後部付近に対応する箇所から鍵盤部２の後方に亘って自由ガイド領域部１９の底部２１とほぼ平行に設けられていると共に、その前部が少し前上がりに傾斜して自由ガイド領域部１９内に食い込んだ状態で設けられている。この場合、軸ガイド部３４は、その深さが自由ガイド領域部１９よりも深く形成され、回転軸３０と連結部材１４との移動動作を妨げないように構成されている。
【００３０】
次に、この鍵盤蓋３の開閉装置１６における作用について説明する。
まず、鍵盤蓋３を開いて収納する場合には、前蓋１２を後方に向けて移動させる。すると、図１および図９において前蓋１２の前部に設けられたガイドローラ２７がローラガイド部２８にガイドされて後方に移動すると共に、前蓋１２の後部に回転可能に取り付けられた連結部材１４の第１支持軸２１が楽器ケース１の第１連結ガイド部１７にガイドされて後方に移動する。
【００３１】
このときには、前蓋１２が連結部材１４を介して後蓋１３を後方に押すので、後蓋１３の前部が、連結部材１４と共に第１連結ガイド部１７に沿って後方に移動し、これに伴って後蓋１３の後部に設けられて第１連結ガイド部１７のほぼ中間部分に位置している後部支持軸２０が、図１０に示すように、自由ガイド領域部１９の底部２１に沿って後方に移動する。また、このときには、後蓋１３の後部に設けられた回転軸３０の端部が軸ガイド部３４によってガイドされながら、回転軸３０に取り付けられたピニオンギア３２がラックギア３３に噛み合って転動する。
【００３２】
そして、後蓋１３の前部が鍵盤部２の後部付近に移動して連結部材１４が自由ガイド領域部１９の前部に到達すると、図８および図１０に示すように、連結部材１４が後蓋１３の重量によって第１支持軸２２を中心に回転して、前蓋１２の後端面１２ａと後蓋１３の前端面１３ａとが上下方向にずれる。すなわち、自由ガイド領域部１９は、図４に示すように、その前部における底部２１が後部下がりの傾斜面２１ａに形成されているので、連結部材１４が自由ガイド領域部１９の前部に到達すると、後蓋１３の重量により連結部材１４の第２支持軸２３の他端部側が傾斜部２１ａに沿って下側に移動する。
【００３３】
これにより、図８および図１０に示すように、連結部材１４が第１支持軸２２を中心に回転して、前蓋１２の後端面１２ａと後蓋１３の前端面１３ａとが上下方向にずれ、後蓋１３の前部が連結部材１４によって前蓋１２の下側に吊り下げられる。この状態で、前蓋１２が楽器ケース１の第１連結ガイド部１７にガイドされて後方に移動する。このときには、図２および図１１に示すように、後蓋１３は移動せず、連結部材１４の第２支持軸２３が後蓋１３の第２連結ガイド部１８にガイドされて相対的に後方に移動するので、前蓋１２が連結部材１４と共に後方に移動して後蓋１３の上側に重なる。
【００３４】
そして、前蓋１２を更に後方に移動させると、連結部材１４が自由ガイド領域部１９内を移動して連結部材１４の第２支持軸２３が後蓋１３の第２連結ガイド部１８の後部に当接し、後蓋１３の第２連結ガイド部１８に対する連結部材１４の相対的な移動が停止される。この後、前蓋１２の後部が楽器ケース１の第１連結ガイド部１７にガイドされて後方に移動すると、この前蓋１２の移動に伴って連結部材１４が自由ガイド領域部１９内を移動しながら後蓋１３を更に後方に移動させる。
【００３５】
これにより、図２および図１１に示すように、前蓋１２と後蓋１３とが上下に重なり合った状態で天板８の下側に収納されると共に、ガイドローラ２７がローラガイド部２８の段差２８ａを乗り越えて段差２８ａに係止される。また、この状態のときには、後蓋１３の後部支持軸２０が自由ガイド領域部１９の後端部に位置し、回転軸３０が軸ガイド部３４の後端部に位置し、ピニオンギア３２がラックギア３３の後端部に位置する。
【００３６】
一方、鍵盤蓋３を閉じるときには、図２および図１１に示す状態で、前蓋１２を手前側に引き出す。すると、前蓋１２の前部に設けられたガイドローラ２７がローラガイド部２８の段差２８ａを乗り越えてローラガイド部２８にガイドされて前方に移動すると共に、前蓋１２の後部に回転可能に取り付けられた連結部材１４の第１支持軸２２が楽器ケース１の第１連結ガイド部１７にガイドされて前方に移動する。
【００３７】
このときには、後蓋１３は移動せず、連結部材１４の第２支持軸２３が後蓋１３の第２連結ガイド部１８にガイドされて、連結部材１４が自由ガイド領域部１９内を前方に移動する。このため、図８に示すように、前蓋１２が連結部材１４と共に前方に移動して後蓋１３に対する前蓋１２の重なりが前側にずれる。この状態で、前蓋１２が更に前方に移動すると、図８および図１０に示すように、連結部材１４が自由ガイド領域部１９内を移動して連結部材１４の第２支持軸２３が後蓋１３の第２連結ガイド部１８の前部に当接し、後蓋１３の第２連結ガイド部１８に対する連結部材１４の相対的な移動が停止される。
【００３８】
この後、連結部材１４の第１支持軸２２が楽器ケース１の第１連結ガイド部１７にガイドされながら、前蓋１２が前方に移動すると、この前蓋１２の移動に伴って連結部材１４が後蓋１３を前方に移動させると共に、後蓋１３の後部に設けられた後部支持軸２０を自由ガイド領域部１９の底部２１に沿って前方に移動させる。このときには、後蓋１３の後部に設けられた回転軸３０の端部が軸ガイド部３４によってガイドされながら、回転軸３０に取り付けられたピニオンギア３２がラックギア３３に噛み合って前方に転動する。
【００３９】
そして、連結部材１４が自由ガイド領域部１９の前部に到達すると、図８および図１０に示すように、連結部材１４が自由ガイド領域部１９の前部によって第１支持軸２２を中心に回転して後蓋１３の前部を引き上げる。すなわち、自由ガイド領域部１９は、その前部における底部２１が後部側に向かうに従って次第に低くなる傾斜部２１ａに形成されていることにより、この傾斜部２１ａに沿って連結部材１４の第２支持軸２３が前側に移動すると、第２支持軸２３が押し上げられる。
【００４０】
これに伴って連結部材１４が第１支持軸２２を中心に回転して連結部２４および第２支持軸２３を第１連結ガイド部１７の位置に押し上げると共に、後蓋１３の前端面１３ａを第１連結ガイド部１７の位置に引き上げ、後蓋１３の前端面１３ａを前蓋１２の後端面１２ａに対面させる。この状態で、前蓋１２を更に前方に移動させると、前蓋１２と共に後蓋１３が連結部材１４によって楽器ケース１の第１連結ガイド部１７に沿って鍵盤部２の上方に移動して配置される。このため、鍵盤蓋３を閉じたときに、図１に示すように、前蓋１２と後蓋１３とに段差が生ずることがなく、前蓋１２と後蓋１３とが連結部材１４によってほぼ平坦状に連続した状態で鍵盤部２を覆う。
【００４１】
このように、この鍵盤蓋３の開閉装置１６によれば、鍵盤蓋１３を開いて収納するときに、前蓋１２を後方に移動させるだけで、前蓋１２と後蓋１３とを連結する連結部材１４が、第１連結ガイド部１７、第２連結ガイド部１８、および自由ガイド領域部１９によってガイドされて移動することにより、鍵盤部２の上側に前後に並んで配置されていた前蓋１２と後蓋１３とを自由ガイド領域部１９の傾斜部２１ａで上下にずらして鍵盤部２の後方に位置する楽器ケース１内に重ね合わせて収納することができる。
【００４２】
このため、鍵盤蓋３が前蓋１２と後蓋１３とに分割されていても、鍵盤蓋３を収納するときに、前蓋１２と後蓋１３とを重ね合わせてコンパクトに収納することができると共に、楽器ケース１の奥行サイズを小さく抑えることができる。これにより、開閉時における前蓋１２と後蓋１３との移動領域を最小限に抑えることができ、その下側に位置する楽器ケース１内の部品収納領域９を十分に広くすることができる共に、その部品収納領域９が鍵盤蓋３の開閉動作の影響を受けないので、部品収納領域９を有効に利用することができる。
【００４３】
また、この鍵盤蓋３の開閉装置１６によれば、鍵盤蓋３を閉じるときに、前蓋１２を前方に移動させるだけで、前蓋１２と後蓋１３とを連結する連結部材１４が、第１連結ガイド部１７、第２連結ガイド部１８、および自由ガイド領域部１９によってガイドされて移動することにより、前蓋１２と後蓋１３とを前後にずらして鍵盤部２の上方に配置させることができ、この前蓋１２と後蓋１３とで鍵盤部２を良好に覆うことができる。
【００４４】
すなわち、前蓋１２を前方に移動させて鍵盤蓋３を閉じるときには、前蓋１２と後蓋１３とが前後にずれると共に、連結部材１４が自由ガイド領域部１９の傾斜部２１ａによって上下方向に回転することにより、上下にずれていた前蓋１２の後端面１２ａと後蓋１３の前端面１３ａとを対面させることができるので、前蓋１２と後蓋１３とをほぼ平坦状に連続させることができる。このため、鍵盤蓋３を閉じたときに前蓋１２と後蓋１３とに段差が生ずることがなく、平坦状に連続した前蓋１２と後蓋１３とで鍵盤部２を確実に且つ良好に覆うことができ、これにより外観的にも好ましいものを提供することができる。
【００４５】
この場合、連結部材１４は、一端部が前蓋１２の後部に回転可能に取り付けられて他端部が楽器ケース１の第１連結ガイド部１７にガイドされて移動する第１支持軸２２と、一端部が後蓋１３の第２連結ガイド部１８にガイドされて相対的に移動すると共に他端部が自由ガイド領域部１９の傾斜部２１ａに移動したときにその傾斜部２１ａに沿って上下方向に移動する第２支持軸２３と、鍵盤蓋３を閉じるときに自由ガイド領域部１９の傾斜部２１ａで前蓋１２の後端面１２ａと後蓋１３の前端面１３ａとを互いに対面させる位置に回転移動させ、且つ鍵盤蓋３を開くときに自由ガイド領域部１９の傾斜部２１ａで前蓋１２の後端面１２ａと後蓋１３の前端面１３ａとを上下方向に離間させて前蓋１２と後蓋１３とが重なる位置に回転移動させるように前記第１、第２支持軸２２、２３を連結する連結部２４とを備えているので、前蓋１２と後蓋１３とを円滑に重ね合わせて収納することができると共に、前蓋１２と後蓋１３とを平坦状に並べて鍵盤部２を覆うことができる。
【００４６】
すなわち、鍵盤蓋を開いて収納するときには、連結部材１４が自由ガイド領域部１９の前部に到達すると、連結部材１４が回転可能な状態になるので、この連結部材１４の第２支持軸２３が後蓋１３の重量によって自由ガイド領域部１９の傾斜部２１ａに沿って下側に移動し、これにより連結部材１４が第１支持軸２２を中心に回転するので、前蓋１２の後端面１２ａと後蓋１３の前端面１３ａとを円滑に上下方向にずらすことができる共に、後蓋１３を前蓋１２の下側に吊り下げることができ、この状態で前蓋１２を後方にさせることができるので、前蓋１２を後蓋１３の上側に良好に重ね合わせて収納することができる。
【００４７】
また、鍵盤蓋３を閉じるときには、連結部材１４が自由ガイド領域部１９を回転可能な状態で移動して自由ガイド領域部１９の前部に到達すると、連結部材１４の第２支持軸２３が後蓋１３の重量に抗して自由ガイド領域部１９の傾斜部２１ａに沿って押し上げられるので、連結部材１４が第１支持軸２２を中心に回転し、これにより上下にずれていた前蓋１２の後端面１２ａと後蓋１３の前端面１３ａとを確実に対面させることができる。このため、前蓋１２と後蓋１３とを平坦な状態で連続させることができ、この連続した前蓋１２と後蓋１３とで鍵盤部２を良好に覆うことができる。
【００４８】
この場合、第１連結ガイド部１７は、その深さが自由ガイド領域部１９よりも深く形成されており、これにより第１連結ガイド部１７と自由ガイド領域部１９とが異なる深さで形成されているので、第１連結ガイド部１７と自由ガイド領域部１９とが楽器ケース１の側板７に干渉した状態で形成されていても、連結部材１４の第１、第２支持軸２２、２３が第１連結ガイド部１７と自由ガイド領域部１９とに沿って移動する際、その両者の動作を妨げないようにすることができ、これにより連結部材１４の移動動作および回転動作をスムーズに行うことができる。
【００４９】
また、この鍵盤蓋３の開閉装置１６では、前蓋１２の前部にガイドローラ２７が設けられており、楽器ケース１内の側板７には、前蓋１２のガイドローラ２７を鍵盤部２の前部に対応する箇所から鍵盤部２の後部付近に対応する箇所にガイドするローラガイド部２８が設けられていることにより、鍵盤蓋３を開閉するときに、前蓋１２を滑らかに移動させることができ、これにより鍵盤蓋３の開閉操作性を向上させることができる。この場合、ローラガイド部２８は、その後部が段差２８ａをもって少し低く形成されていることにより、鍵盤蓋３を開いて収納したときに、段差２８ａによってガイドローラ２７の前側への移動を阻止することができるので、鍵盤蓋３が勝手に閉じるのを防ぐことができ、これにより安全性の高いものを提供することができる。
【００５０】
さらに、この鍵盤蓋３の開閉装置１６では、後蓋１３の後部に回転軸３０が設けられていると共に、この回転軸３０にピニオンギア３２が取り付けられており、楽器ケース１の側板７には、ピニオンギア３２を鍵盤部２の後部付近に対応する箇所から鍵盤部２の後方にガイドするラックギア３３が自由ガイド領域部１９の下側に沿って設けられていることにより、後蓋１３が移動するときに、ピニオンギア３２がラックギア３３に噛み合って転動するので、後蓋１３を円滑に移動させることができる。この場合、特に前蓋１２が後蓋１３上に重なって重量が重くなっても、後蓋１３を滑らかに且つ良好に移動させることができ、これによっても鍵盤蓋３の開閉操作性を向上させることができる。
【００５１】
（実施形態２）
次に、図１２〜図１４を参照して、この発明を適用した鍵盤楽器の実施形態２について説明する。なお、図１〜図１１に示された実施形態１と同一部分には同一符号を付して説明する。
この鍵盤楽器における鍵盤蓋３の開閉装置１６は、連結部材４０の第２支持軸４１の端部を連結部２４から楽器ケース１の自由ガイド領域部４２側に突出させ、この突出した第２支持軸４１の端部が挿入する自由ガイド領域部４２を、第１、第２支持軸２２、４１間のピッチとほぼ同じかそれよりも少し狭い幅で、且つ第２支持軸４１の突出した長さだけ深く形成した構成であり、これ以外は実施形態１とほぼ同じ構成になっている。
【００５２】
すなわち、連結部材４０の第２支持軸４１は、図１２および図１４に示すように、実施形態１の第２支持軸２３よりも少し長く形成され、これにより一端部が後蓋１３の側面に設けられた第２連結ガイド部１８に移動可能に挿入された状態で、連結部材４０が自由ガイド領域部４２内に位置するときに、他端部が連結部２４から突出して自由ガイド領域部４２内に挿入した状態で移動するように構成されている。
【００５３】
この場合、連結部材４０の連結部２４は、前蓋１２と後蓋１３との各側面に接近した位置において、第１支持軸２２の中間部分と第２支持軸４１の他端部側との間に取り付けられて、第１、第２支持軸２２、４１を所定間隔離して連結するように構成されている。また、自由ガイド領域部４２は、第２支持軸４１が連結部２４から突出した長さだけ実施形態１よりも深く形成されているが、第１連結ガイド部１７よりも浅く形成されている。また、この自由ガイド領域部４２は、その幅が第１、第２支持軸２２、４１間のピッチとほぼ同じかそれよりも少し狭い幅で形成されている。
【００５４】
このような鍵盤蓋３の開閉装置１６によれば、実施形態１と同様の作用効果があるほか、連結部材４０の第２支持軸４１の他端部が連結部２４から自由ガイド領域部４２側に向けて突出して形成されており、自由ガイド領域部４２が、第１、第２支持軸２２、４１間のピッチとほぼ同じかそれよりも少し狭い幅で、且つ第２支持軸４１の連結部２４から突出した長さだけ深く形成されていることにより、連結部材４０の第２支持軸４１を自由ガイド領域部４２の底部２１に接触させて移動させることができ、これにより連結部材４０がふら付くことなく、円滑に且つ安定した状態で連結部材４０を自由ガイド領域部４２に沿って移動させることができるので、より一層、鍵盤蓋３の開閉操作性を向上させることができる。
【００５５】
なお、上記実施形態１、２では、連結部材１４または４０の第１、第２支持軸２２、２３または４１が直接、第１、第２連結ガイド部１７、１８に接触して移動するように構成した場合について述べたが、これに限らず、例えば第１、第２支持軸２２、２３または４１に、ローラやギアなどの回転部材を取り付けて転動させるように構成しても良い。このように構成すれば、より一層、円滑に動作させることができる。
【００５６】
また、上記実施形態１、２では、前蓋１２と後蓋１３とをほぼ水平な状態で重ね合わせて収納したが、必ずしも水平に重ね合わせる必要はなく、前後方向に少し傾けた状態で前蓋１２と後蓋１３とを重ね合わせて収納するようにしても良く、また上記実施形態１、２では、前蓋１２を後蓋１３の上側に重ね合わせて収納するように構成したが、これに限らず、前蓋１２を後蓋１３の下側に重ね合わせて収納するように構成して良い。
【００５７】
また、上記実施形態１、２では、後蓋１３の後部に取り付けられた回転軸３０にピニオンギア３２が設けられ、このピニオンギア３２が楽器ケース１の側板７に設けられたラックギア３３に噛み合って転動するように構成した場合について述べたが、これに限らず、例えば後蓋１３の回転軸３０にローラを取り付け、このローラが転動するガイドレールを楽器ケース１の側板７に設けた構成でも良い。
【００５８】
さらに、上記実施形態１、２では、前蓋１２を手動で操作する場合について述べたが、これに限らず、前蓋１２にモータを設け、このモータで前蓋１２のガイドローラ２７を駆動回転させてローラガイド部２８に沿って自動的に移動させるように構成しても良い。このように構成すれば、鍵盤蓋３を自動的に開閉することができるので、使い勝手の良いものを提供することができる。
【図面の簡単な説明】
【００５９】
【図１】この発明を適用した鍵盤楽器の実施形態１において鍵盤蓋を閉じた状態を示した断面図である。
【図２】図１の鍵盤蓋を開いて収納した状態を示した断面図である。
【図３】図１の鍵盤楽器の一側部を示した要部の平面図である。
【図４】図１の楽器ケースの側板に設けられた第１連結ガイド部、自由ガイド領域部、ローラガイド部、および軸ガイド部の位置関係を示した側面図である。
【図５】図２のＡ−Ａ矢視における拡大断面図である。
【図６】図３における後蓋の側面に連結部材を取り付ける状態を示した一部分解した平面図である。
【図７】図６のＢ−Ｂ矢視における一部分解した断面図である。
【図８】図１の鍵盤蓋を開く途中の状態を示した断面図である。
【図９】図１の状態における連結部材の各軸と各ガイド部との位置関係を示した図である。
【図１０】図８の状態における連結部材の各軸と各ガイド部との位置関係を示した図である。
【図１１】図２の状態における連結部材の各軸と各ガイド部との位置関係を示した図である。
【図１２】この発明を適用した鍵盤楽器の実施形態２において鍵盤楽器の一側部を示した要部の平面図である。
【図１３】図１２の楽器ケースの側板に設けられた第１連結ガイド部、自由ガイド領域部、ローラガイド部、および軸ガイド部の位置関係を示した側面図である。
【図１４】図１２において鍵盤蓋を開いて収納した状態における連結部材の箇所の拡大断面図である。
【符号の説明】
【００６０】
１  楽器ケース
２  鍵盤部
３  鍵盤蓋
７  側板
１２  前蓋
１２ａ  前蓋の後端面
１３  後蓋
１３ａ  後蓋の前端部
１４、４０  連結部材
１６  開閉装置
１７  第１連結ガイド部
１８  第２連結ガイド部
１９、４２  自由ガイド領域部
２０  後部支持軸
２１  自由ガイド領域部の底部
２１ａ  底部の傾斜部
２２  第１支持軸
２３、４１  第２支持軸
２４  連結部
２７  ガイドローラ
２８  ローラガイド部
３０  回転軸
３２  ピニオンギア
３３  ラックギア
３４  軸ガイド部
【図１】
2008152160.tif 000003
【図２】
2008152160.tif 000004
【図３】
2008152160.tif 000005
【図４】
2008152160.tif 000006
【図５】
2008152160.tif 000007
【図６】
2008152160.tif 000008
【図７】
2008152160.tif 000009
【図８】
2008152160.tif 000010
【図９】
2008152160.tif 000011
【図１０】
2008152160.tif 000012
【図１１】
2008152160.tif 000013
【図１２】
2008152160.tif 000014
【図１３】
2008152160.tif 000015
【図１４】
2008152160.tif 000016